(57)【特許請求の範囲】
【請求項１】
予め葺かれている屋根瓦（２）のうち抜き取り対象の抜取屋根瓦（２ａ）とその下に重なる正常屋根瓦（２ｂ）との隙間（Ｄ）に差し込み、この抜取屋根瓦（２ａ）の固定釘（４ａ）を切断することのできる鋸刃（５）と、
前記鋸刃（５）の後端部から延設され且つ前記隙間（Ｄ）に差し込まれる延長板（６）と、
この鋸刃（５）と対向する延長板（６）の後端部に延設された把手（８）と、を備え、
前記延長板（６）の長手方向の長さが前記抜取屋根瓦（２ａ）と前記正常屋根瓦（２ｂ）とで構成される屋根流れ方向の重合長さ（Ｌ１）よりも長く設定され、
前記鋸刃（５）と延長板（６）との合算した長さ（Ｌ）は、屋根瓦（２）の屋根流れ方向の長さよりも長く設定されていることを特徴とする瓦釘の切断工具。
【請求項２】
前記延長板（６）から前記鋸刃（５）が脱着できるように、前記延長板（６）の端部に鋸刃装着金具（７）が設けられたことを特徴とする請求項１に記載の瓦釘の切断工具。
【請求項３】
右利き又は左利き用に切り替えることのできる切り替え手段が設けられ、前記切り替え手段は、把手（８）を楕円形又は円形状の棒状に形成し且つ当該把手（８）を延長板（６）の厚み方向に屈曲することなく延長板（６）の端部から延設したことを特徴とする請求項１又は２記載の瓦釘の切断工具。
【発明の詳細な説明】
【０００１】
【発明の属する技術分野】
本発明は、瓦釘の切断工具に関するものである。
【０００２】
【従来の技術】
従来、平板状屋根材として石綿セメントスレート等（以下屋根瓦）が用いられているが、この屋根瓦は靭性が低く、破損することがあった。
通常、屋根瓦は一部を重畳させつつ葺き上げられ、屋根瓦は一枚ごとに野地板に釘で打ち付け固定されているために、破損した屋根瓦を抜き取るには、この釘を取り外すことが必要である。
そのため、実開昭６０−４１３４に示されているように、偏平かつ長尺なロッド体の先端に鋭利なフック部を設けた工具により、抜き取る屋根瓦の固定釘を切断する屋根補修工具が知られている。
【０００３】
さらに、実開平２−５５３７にプレート状のプレート本体に鋸刃を設けた工具により抜き取る屋根瓦の固定釘を切断する瓦釘の切断工具（屋根補修工具）も知られている。
【０００４】
【発明が解決しようとする課題】
しかしながら、実開昭６０−４１３４に示されるような屋根補修工具では、固定釘を強く打撃し、その衝撃で釘を抜き取るので、釘の強度が高い場合には相当の打撃を繰り返す必要があり、このため野地板を損傷したり、重なっている他の正常な屋根瓦をも損傷させてしまう問題があった。
また、実開平２−５５３７に示されるような瓦釘の切断工具では、鋸刃が釘に届く距離は鋸刃自体の長さに依存しているので、プレート本体と切断する釘との距離が長く鋸刃が釘に届かない場合には、十分に長い鋸刃が必要であった。
【０００５】
しかしながら、この長い鋸刃は、鋸刃全体の強度を確保するために鋸刃の厚みを厚くしなければならず、このために、鋸刃の製造コストが高くなり、瓦釘の切断工具全体の製造コストが高くなるという問題があった。
さらに、この実開平２−５５３７に示されるような瓦釘の切断工具では、プレート本体から突出している鋸刃全体を取り替えようとする屋根瓦の裏面に沿わせながら屋根瓦が重合している隙間に差し込むようになっているので、固定釘の切断作業のときに、この鋸刃と正常な屋根瓦が接触して、この鋸刃が正常な屋根瓦の化粧面を損傷したり、正常屋根瓦の固定釘と接触して、切断しようとする固定釘以外の固定釘を損傷してしまう問題があった。
【０００６】
そこで、本発明は、上記問題点に鑑み、正常な屋根瓦や正常な固定釘を損傷することを防ぎ、抜き取り屋根瓦を固定している釘などを切断することのできる安価な瓦釘の切断工具を提供するようにしたものである。
【０００７】
【課題を解決するための手段】
本発明では、上記の目的を達成するために、次の解決手段を採用した。すなわち、予め葺かれている屋根瓦のうち抜き取り対象の抜取屋根瓦とその下に重なる正常屋根瓦との隙間に差し込み、この抜取屋根瓦の固定釘を切断することのできる鋸刃と、鋸刃の後端部から延設され且つ前記隙間に差し込まれる延長板と、この鋸刃と対向する延長板の後端部に延設された把手と、を備え、前記延長板の長手方向の長さが前記抜取屋根瓦と前記正常屋根瓦とで構成される屋根流れ方向の重合長さよりも長く設定され、前記鋸刃と延長板との合算した長さは、屋根瓦の屋根流れ方向の長さよりも長く設定されていることを特徴としている。
【０００８】
上記発明によれば、鋸刃を抜取屋根瓦とその下に重なる正常屋根瓦との隙間に差し込んでこの鋸刃を押し引きすることにより、抜取屋根瓦の固定釘を切断するようになっているので、実開昭６０−４１３４に示されるように固定釘切断の際、固定釘に打撃を与えることがないので、野地板を損傷したり、重なっている他の正常な屋根瓦をも損傷させてしまうことはない。
鋸刃と切断する釘との距離が長く鋸刃が固定釘に届かない場合には、従来の瓦釘の切断工具のように鋸刃自体を長くする必要はなく鋸刃の代わりに、延長板の長さを鋸刃が固定釘に届くように設定すれば、鋸刃が固定釘に当接して、鋸刃で固定釘を切断することができる。したがって、鋸刃が切断する固定釘に届かない場合でも、鋸刃を長くする必要がないので、製造コストを抑えることができる。
【０００９】
鋸刃を屋根流れ方向に押し引きして切断作業をしたときに、正常屋根瓦の表面の上面を通過する屋根瓦抜き取り工具の大部分は延長板が占めることとなる。
したがって、切断作業で鋸刃と正常屋根瓦の化粧面とが接触することが少なくなり、それにより、正常屋根瓦を損傷したり、正常屋根瓦の固定釘と接触して、正常屋根瓦の固定釘を損傷することを防ぐことができる。
また、前記延長板から前記鋸刃が脱着できるように、前記延長板の端部に鋸刃装着金具が設けられていれば、自在に鋸刃をこの延長板から脱着することができる。したがって、鋸刃が摩耗して固定釘が切断できなくなった場合には、新しい鋸刃のみ交換すれば使用することができるので、鋸刃が摩耗しても工具全体を新しくする必要がなく経済的である。
【００１０】
また、右利き又は左利き用に切り替えることのできる切り替え手段が設けられ、切り替え手段は、把手を楕円形又は円形状の棒状に形成し且つ当該把手を延長板の厚み方向に屈曲することなく延長板の端部から延設したものであると、切断作業者が右利き又は左利きにかかわらず切断作業を簡単に行うことができる。
【００１１】
【発明の実施の形態】
以下、本発明の実施の形態を図１〜４に基づいて説明する。
図１は本発明に係る瓦釘の切断工具の実施の形態を示しており、図１は瓦釘の切断工具のａ）正面図とｂ）側面図とを示している。
瓦釘の切断工具１は、予め葺かれている屋根瓦２（２ａ）を抜き取るために、この抜取屋根瓦２ａを固定している固定釘４ａなどを切断するための工具であり、全体的に略長方形板状の形状となっており、この瓦釘の切断工具１は、鋸刃５と、延長板６と、この延長板６の端部に設けられ鋸刃装着金具７と、把手８とを有している。
【００１２】
図１に示すように、この瓦釘の切断工具１の先端には鋸刃５が設けられており、この鋸刃５は鋸刃装着金具７を介して延長板６に装着され、鋸刃５の装着されていない延長板６の端部には、把手８が設けられており、鋸刃５と延長板６と把手８とは、略直線状に一体化されおり、長手方向おいて鋸刃５と把手８との間に延長板６が介在されている。
この鋸刃５は、通常の鋸刃５と同様に金属系の平板で形成されて一側に切歯９が設けられ、全体的に長方形状に形成されている。また、この鋸刃５の厚みは、予め葺かれている屋根瓦２の重ね合わせ隙間Ｄへ差し込み可能な厚さであって、好ましくは０．８ｍｍ程度に設定されている。
【００１３】
延長板６は、長方形板状に形成されて、鋸刃５の厚み方向と直交する方向に、鋸刃５の後端部から延設されており、延長板６と鋸刃５とは略同一平面状の長板状となっている。また、この延長板６の厚みは、鋸刃５と同様に、予め葺かれている屋根瓦２の重ね合わせ隙間Ｄへ差し込み可能な厚さであって、好ましくは２〜３ｍｍ程度に設定されている。
この鋸刃５と延長板６との合算した長さＬは、屋根瓦２の屋根流れ方向の略長さよりも長く設定されており、鋸刃５は抜取屋根瓦２ａを固定している固定釘４ａに当接して切断できるようになっている。
【００１４】
このとき、延長板６の長手方向の長さを抜取屋根瓦２ａと正常屋根瓦２ｂとで構成される屋根流れ方向の重合長さＬ１よりも長く設定するのが好ましい。
このような構成にすれば、固定釘４の切断作業のとき、鋸刃５を押し引きして
も、正常屋根瓦２ｂの表面の上面を通過する瓦釘の切断工具１の大部分は延長板６が占めることとなる、それにより、切断作業で鋸刃５と正常屋根瓦２ｂの化粧面とが接触することが少なくなり、正常屋根瓦２ｂの化粧面を損傷したり、正常屋根瓦２ｂの固定釘４ｂを損傷することを防ぐことができる。
【００１５】
鋸刃５が設けられる延長板６の端部には、鋸刃装着金具７が設けられ、この鋸刃装着金具７は、鋸刃５の厚み方向に切込溝１１を有しており、この切込溝１１に鋸刃５の後端部を差込むことにより、この鋸刃５の後端部が切込溝１１の内面で強く押圧されてこの鋸刃装着金具７に鋸刃５が取付けられるようになっている。
この切込溝１１の内面で強く押圧されている押圧力よりも強い力で鋸刃５を引き抜くことにより、鋸刃装着金具７から鋸刃５を取り外すことができる。
【００１６】
したがって、この鋸刃装着金具７により、鋸刃５は延長板６から脱着することができる。
なお、図示していないが、鋸刃５を鋸刃装着金具７に装着したときに、この鋸刃５の装着状態を保持する保持機構が鋸刃装着金具７に設けられていてもよい。
延長板６の端部に設けられている把手８は、一般的な鋸の把手と同様に、楕円形や円弧状又は円形状に形成されている。
右利き又は左利き用に切り替えることのできる切り替え手段として、次に示すような手段が採用することができる。
【００１７】
一つの切り替え手段は、延長板６の端部から延設された把手８の形状によるものである。即ち、把手８が楕円形又は円形状の棒状に形成されて、把手８が延長板６の厚み方向に屈曲することなくこの把手８が延長板６の端部に延設すれば、図３に示すように固定釘４ａに対して左右方向のどちら側からでもこの鋸刃５を抜取屋根瓦２ａとその下に重なる正常屋根瓦２ｂとの隙間Ｄに差し込んで、鋸刃５の切歯９を固定釘４ａに当接することができる。
したがって、このように構成すれば、固定釘４ａに対して右側からでも左側からでも鋸刃５の切歯９をこの固定釘４ａに当接して切断作業ができるので、切断作業者が右利きであっても左利きであっても固定釘４ａを切断することができる。
【００１８】
他の切り替え手段は、図４に示すように、鋸刃５を平板状に形成して鋸刃装着金具７の切込溝１１にこの鋸刃５の端部を差し替えるようにできるようにすることである。
このようにすれば、鋸刃５の切歯１１の向きを固定釘４ａに対して左右方向に自在に変更することができるので、固定釘４ａに対して右側からでも左側からでも鋸刃５の切歯１１をこの固定釘４ａに当接することができ、切断作業者が右利きであっても左利きであっても固定釘４ａを切断することができる。
【００１９】
このような瓦釘の切断工具１は、次のように抜取屋根瓦２ａの固定釘４ａを切断するのに用いられる。
図２に示すように、抜き取りの対象である抜取屋根瓦２ａとこの抜取屋根瓦２ａのその下に重なる正常屋根瓦２ｂとの隙間Ｄに、この瓦釘の切断工具１の鋸刃５を屋根の軒側（紙面の右側）から抜取屋根瓦２ａの裏面に沿って差し込む。
次に、抜取屋根瓦２ａの固定釘４ａに鋸刃５の切歯９を当接しながら抜き取り工具１を屋根流れ方向に屋根面に沿って押し引きすることのより、鋸刃５で固定釘４ａを切断することができる。
【００２０】
本発明の他の実施の形態を図５〜６に基づいて説明する。
図５は本発明に係る瓦釘の切断工具の他の実施の形態を示している。
図５に示すように、延長板６の後端部にはクランク状の屈曲された屈曲部１２が設けられており、この屈曲部１２は螺子１３などにより延長板６の端部に取り付けられている。  そして、この屈曲部１２の後端部には把手８が設けられている。
屈曲部１２は、図６に示すように延長板６の表側１４又は裏側１５から取り付けられるようになっている。したがって、この屈曲部１２を延長板６の表側１４又は裏側１５に付け替えるとこにより、固定釘４ａに対して鋸刃５の切歯９を左右方向から当接することができるようになっており、切断作業者が右利きであっても左利きであっても切断作業ができるようになっている。
【００２１】
なお、他の構成については上記記載の実施の形態と同様である。
【００２２】
【発明の効果】
本発明によれば、正常な屋根瓦や正常な固定釘を損傷することなく、抜き取り屋根瓦を固定している釘などを切断することのできる安価な瓦釘の切断工具を提供することが可能となる。
【図面の簡単な説明】
【図１】  本発明の一実施形態を示す瓦釘の切断工具のａ）正面図とｂ）側面図である。
【図２】  同使用形態の説明図である。
【図３】  同鋸刃の切歯の当接図である。
【図４】  同切り替え手段の説明図である。
【図５】  本発明の他の実施形態を示す瓦釘の切断工具の側面図である。
【図６】  同切り替え手段の説明図である。
【符号の説明】
１    瓦釘の切断工具
２    屋根瓦
２ａ  抜取屋根瓦
２ｂ  正常屋根瓦
４ａ  抜取屋根瓦の固定釘
４ｂ  正常屋根瓦の固定釘
５    鋸刃
６    延長板
７    鋸刃装着金具
８    把手
【図１】
0004009485.tif 000002
【図２】
0004009485.tif 000003
【図３】
0004009485.tif 000004
【図４】
0004009485.tif 000005
【図５】
0004009485.tif 000006
【図６】
0004009485.tif 000007